(57)【特許請求の範囲】
【請求項１】
第１のユニットにカメラ及び背面表示部が搭載され、第２のユニットにバッテリーが搭載され、前記第１のユニットと前記第２のユニットとが、ヒンジ機構を介して、折り畳み可能に結合されたカメラ付携帯電話機を充電するための携帯電話用卓上充電装置であって、
載置面を備え、充電時、該載置面に前記第２のユニットが搭載装着されると、前記バッテリーまでの通電路が形成されて、充電を行う卓上充電器本体と、
該卓上充電器本体に回動自在に取付けられたカメラ保持手段とを備えてなると共に、
該カメラ保持手段は、
充電を伴う撮影時には起立して、前記卓上充電器本体の前記載置面を望む第１の面が、前記第１のユニットを直立又は斜めの姿態で係止して、前記カメラを安定に保持する役割を担う一方、
撮影を伴わない充電時には、前記卓上充電器本体に収納されて、前記第１の面と相背向する第２の面が、前記第２のユニットを搭載装着する前記載置面の一部を担う構成になされていることを特徴とする携帯電話用卓上充電装置。
【請求項２】
前記カメラ保持手段の前記第１の面側であって、前記第２のヒンジ機構側の固定端と相対向する自由端には、撮影時、前記第１のユニットの自由端を係止するための係止ツメが設けられていることを特徴とする請求項１記載の携帯電話用卓上充電装置。
【請求項３】
前記係止ツメは撓み得る構造に成形されていることを特徴とする請求項２記載の携帯電話用卓上充電装置。
【請求項４】
前記卓上充電器本体の前記載置面内には、非撮影時、前記カメラ保持手段を収納するための凹部が設けられている請求項１又は２記載の携帯電話用卓上充電装置。
【請求項５】
前記カメラ保持手段は、一対の脚部を有するコの字型の部材から構成されていて、かつ、前記卓上充電器本体の前記載置面内には、非撮影時、前記カメラ保持手段を収納するためのコの字型の凹部が設けられていることを特徴とする請求項１又は２記載の携帯電話用卓上充電装置。
【請求項６】
前記カメラ保持手段が前記凹部に収納された状態では、前記カメラ保持手段の前記第２の面は、前記卓上充電器本体の前記載置面と面一となる態様に構成されている請求項４又は５記載の携帯電話用卓上充電装置。
【請求項７】
前記カメラ保持手段は、一対の脚部を有するコの字型の部材から構成されていて、前記脚部と脚部との間の開口から、前記カメラ及び前記背面表示部が臨まれる構成になされていることを特徴とする請求項１又は２記載の携帯電話用卓上充電装置。
【請求項８】
前記カメラ保持手段は、ヒンジ機構を介して、前記卓上充電器本体に回動自在に取付けられていることを特徴とする請求項１記載の携帯電話用卓上充電装置。
【請求項９】
前記カメラ保持手段は、軸支部と屈曲式腕とを介して、前記卓上充電器本体に回動自在に取付けられていることを特徴とする請求項１記載の携帯電話用卓上充電装置。
【発明の詳細な説明】
【０００１】
【発明の属する技術分野】
この発明は、携帯電話用卓上充電装置に関し、詳しくは卓上充電器本体からカメラ保持手段を直立又は斜めの姿態でカメラ付携帯電話機のバッテリーを充電しながらデジタルカメラで撮像する携帯電話用卓上充電装置に関する。
【０００２】
【従来の技術】
従来においても、卓上充電器でカメラ付折り畳み式携帯電話機を充電するほか、その卓上充電器でカメラ付折り畳み式携帯電話機を安定に保持してカメラで撮像を行う卓上充電器が知られている。その例は特開２００２−２６１９０４号公報に記載されている。
【０００３】
同公報に記載される技術は、図１４に示すように、卓上充電器７０の充電器本体７２の挿通孔７４にカメラ付折り畳み式携帯電話機７６を挿入し、カメラ付折り畳み式携帯電話機７６の受電端子７８を充電器本体７２の給電端子８０に当接させてカメラ付折り畳み式携帯電話機７６のバッテリー（図示せず）を充電するほか、図１５に示すように、カメラ付折り畳み式携帯電話機７６の載置用保持部８４を回動させて延出した載置用保持部８４の挿通孔８５にカメラ付折り畳み式携帯電話機７６を挿入して保持し、そのカメラ付折り畳み式携帯電話機７６のデジタルカメラ８６で所要の撮像を行うものである。
したがって、この公報に記載される技術において、単一の卓上充電器で充電と撮像をすることはできる。
【０００４】
【発明が解決しようとする課題】
しかしながら、上記公報に記載される技術においては、充電時の保持部と撮像時の保持部との構造が異なっている。
つまり、充電時の保持部に形成される充電系は、撮像時には全く継受され得ない構造となっている。
したがって、上記充電系は、カメラ付折り畳み式携帯電話機のデジタルカメラで撮像しながら、そのバッテリーを充電することは不可能である。
このことは、携帯電話機が高性能になると共に消費電力も増大して来ている現状においては上記卓上充電器は用途に制限があり、特にテレビ会議等でカメラを長時間使用する用途には適用し難い致命傷となる。
【０００５】
この発明は、上述の事情に鑑みてなされたもので、卓上充電器本体からカメラ保持手段を直立又は斜めの姿態でカメラ付携帯電話機のバッテリーを充電しながらデジタルカメラでの撮像動作を継続的に生じさせ得る携帯電話用卓上充電装置を提供することを目的としている。
【０００６】
【課題を解決するための手段】
上記課題を解決するために、この発明の構成は、第１のユニットにカメラ及び背面表示部が搭載され、第２のユニットにバッテリーが搭載され、上記第１のユニットと上記第２のユニットとが、ヒンジ機構を介して、折り畳み可能に結合されたカメラ付携帯電話機を充電するための携帯電話用卓上充電装置に係り、載置面を備え、充電時、該載置面に上記第２のユニットが搭載装着されると、上記バッテリーまでの通電路が形成されて、充電を行う卓上充電器本体と、該卓上充電器本体に回動自在に取付けられたカメラ保持手段とを備えてなると共に、該カメラ保持手段は、充電を伴う撮影時には起立して、上記卓上充電器本体の上記載置面を望む第１の面が、上記第１のユニットを直立又は斜めの姿態で係止して、上記カメラを安定に保持する役割を担う一方、撮影を伴わない充電時には、上記卓上充電器本体に収納されて、上記第１の面と相背向する第２の面が、上記第２のユニットを搭載装着する上記載置面の一部を担う構成になされていることを特徴としている。
【００１８】
【発明の実施の形態】
以下、図面を参照して、この発明の実施の形態について説明する。説明は、実施例を用いて具体的に説明する。
◇第１実施例
図１は、この発明の第1実施例である卓上充電器の平面図、図２は、同卓上充電器の側面図、図３は、図１の線Ａ−ＡのＡの方向から見た断面図、図４は、同卓上充電器のカメラ保持部の起立前後の状態を図解する図、図５は、カメラ付折り畳み式携帯電話機を開いた状態の平面図、図６は、同カメラ付折り畳み式携帯電話機を開いた状態の側面図、図７は、同カメラ付折り畳み式携帯電話機を開いた状態の背面図、図８は、折り畳んだ状態のカメラ付折り畳み式携帯電話機を卓上充電器に保持させて充電するときの平面図、図９は、折り畳んだ状態のカメラ付折り畳み式携帯電話機を卓上充電器に保持させて充電するときの側面図、図１０は、直角に曲げた状態のカメラ付折り畳み式携帯電話機を卓上充電器に保持させて充電しつつ撮像するときの平面図、図１１は、直角に曲げた状態のカメラ付折り畳み式携帯電話機を卓上充電器に保持させて充電しつつ撮像するときの側面図、図１２は、直角に曲げた状態のカメラ付折り畳み式携帯電話機を卓上充電器に保持させて充電しつつ撮像するときの背面図である。
【００１９】
この実施例の卓上充電器は、開いた状態のカメラ付折り畳み式携帯電話機のバッテリーを充電しつつデジタルカメラで（以下、カメラという）撮影し得ると共に、折り畳んだ状態のカメラ付折り畳み式携帯電話機のバッテリーの充電も行い得る卓上充電器に係り、図１に示すように、卓上充電器１０は、卓上充電器本体１２と、卓上充電器本体１２に設けられたヒンジ機構１４と、一方の端部をヒンジ機構１４で回動自在に軸支され他方の端部を自由端とするコの字型のカメラ保持部１６と、カメラ保持部１６をすっぽり収める卓上充電器本体１２の中抜き部１８（図３）と、卓上充電器本体１２の底面と並行に形成されカメラ付折り畳み式携帯電話機５０（以下、携帯電話機５０ともいう）を載せる載置面２０と、卓上充電器本体１２の（ヒンジ機構１４側を後方としての）前方で載置面２０から上方へ垂直に形成された係止ツメ部２２と、ヒンジ機構１４の僅か前方の位置で載置面から上方へ形成され上記後方へ撓み得る係止ツメ部２３と、卓上充電器本体１２の上記後方の一部側面に載置面２０から上方へ垂直に形成された案内部２４と、中抜き部１８の係止ツメ部２３から僅か前方の位置で底面から上方に向け、かつ、コの字型のカメラ保持部１６の間を通り抜けて形成された給電端子対２６と、該給電端子対２６に接続された雌型コネクタ（図示せず）とから成る。
【００２０】
コの字型のカメラ保持部１６の両側の脚部の間に、カメラ付折り畳み式携帯電話機５０のデジタルカメラ６０（後述）が来るように構成されると共に、上記脚部間から背面スクリーンが見えるように構成されている（図１２）。
係止ツメ部２３は、上記後方への外力の印加でその方向へ撓み得る素材からモールディング成形され、また、撓み得る構造に成形されている。素材は、例えば、樹脂である。
また、雌型コネクタは、アダプタを介して商用電源のコネクタに接続される。
【００２１】
カメラ保持部１６を回動自在に軸支するヒンジ機構１４は、カメラ保持部１６を載置面２０から９０だけ回動させ得る構造に構成されている。
したがって、カメラ保持部１６は、卓上充電器１０の載置面２０より底面側の中抜き部１８内に収納された位置と、載置面２０から９０度だけ回動された位置とを取り得る回動機構の１素子として組み立てられている。
そのカメラ保持部１６の自由端には、カメラ付折り畳み式携帯電話機５０を保持する係止ツメ部（ツメ）１７（図３）が形成されている。カメラ保持部１６はその係止ツメ部１７に対してカメラ保持部１６の自由端の方へ外力を印加したとき、その方向へ撓み得る素材からモールディング成形されている。また、係止ツメ部１７は撓み得る構造に成形されている。
【００２２】
載置面２０、係止ツメ部２２及び係止ツメ部２３が、カメラ付折り畳み式携帯電話機５０を折り畳んで載置面２０上に載置されたときの該携帯電話機５０の第２のユニット５４（図５）を保持する第１の保持機構が卓上充電器１０に構成されるほか、この第１の保持機構（載置面２０、係止ツメ部２２及び係止ツメ部２３）は、また、カメラ付折り畳み式携帯電話機５０を開いて載置面２０上に載置しときの携帯電話機５０の第２のユニット５４の保持機構を成すと共に、これに加えて、カメラ保持部１６を直角に起立させたときの係止ツメ部１７が携帯電話機５０の第１のユニット５２を保持する第２の保持機構が、卓上充電器１０に構成されている。
【００２３】
いずれの保持機構において携帯電話機５０が保持されても、卓上充電器１０の給電端子対２６と載置面２０上に載せられたカメラ付折り畳み式携帯電話機５０の受電端子対５８（図７）との位置関係は同一である。
すなわち、その位置関係は、載置面２０上に載せられて保持された携帯電話機５０の受電端子対５８が給電端子対２６に当接し得る位置関係である。この位置関係を取り得るように、給電端子対２６は、載置面２０上方所定の位置であって係止ツメ部２２から所定の距離後方（係止ツメ部２２側を前方といいヒンジ機構１６側を後方という）の位置に配置される一方、携帯電話機５０の受電端子対５８は、上記第１の保持機構に保持され携帯電話機５０の自由端から上記所定の距離後方（該自由端側を前方といい携帯電話機５０のヒンジ機構５３（図６）側を後方という）の位置に設けられている。
【００２４】
カメラ付折り畳み式携帯電話機５０は、図５乃至図７に示すように、第２のユニット５４と第１のユニット５２とから成る。第２のユニット５４と第１のユニット５２とは、ヒンジ機構５３によって回動自在に連結されている。
第２のユニット５４には、バッテリー５６及び上述の受電端子対５８が、この発明との関係において設けられている。バッテリー５６の端子対は、受電端子対５８に接続されている。なお、第２のユニット５４の上面には、通常設けられる数字キー及び機能キーがある。
また、第１のユニット５２には、デジタルカメラ６０、正面スクリーン６２及び背面スクリーン６４が、この発明との関係において設けられている。
【００２５】
次に、図１乃至図１２を参照して、この実施例の動作について説明する。
先ず、卓上充電器１０を用いたカメラ付折り畳み式携帯電話機５０の充電のみについて説明する。
卓上充電器１０のカメラ保持部１６の背面（カメラ保持部１６を直角に起立させたとき裏側に位置する面）が載置面２０と同一平面となる位置まで、ヒンジ機構１４を回動中心にして中抜き部１８内の方へカメラ保持部１６を折り込み、卓上充電器１０の載置面（載置面２０及びこれと同一平面上にあるカメラ保持部１６の背面）上に携帯電話機５０を載せ得る状態を作る。中抜き部１８内へカメラ保持部１６が折り畳まれた状態を図９に点線で示す。
【００２６】
このような状態に置かれた卓上充電器１０に携帯電話機５０を保持し、携帯電話機５０のバッテリー５６の充電を行うに際して、携帯電話機５０を折り畳んで卓上充電器１０に携帯電話機５０を保持させる。その保持は、次のようにして行う。
折り畳まれた携帯電話機５０の第２のユニット５４の自由端を係止ツメ部２２に当接させた状態において第２のユニット５４の後端部で係止ツメ部２３を（係止ツメ部２２側を前方として）後方へ撓ませつつ該後端部を係止ツメ部２３に係止させ、係止ツメ部２３のバネ力で第２のユニット５４を係止ツメ部２２と係止ツメ部２３との間に弾性的に保持させる
【００２７】
この保持の完了後に、卓上充電器１０の雌型コネクタに差し込まれたアダプタの雄型コネクタを商用の交流電源の雌型コネクタに差し込む。
上記保持の完了で、卓上充電器１０の給電端子対２６と受電端子対５８とが接触するから、アダプタからバッテリー５６へ形成されている通電路を経てバッテリー５６の充電が行われる。
【００２８】
次に、卓上充電器１０を用いたカメラ付折り畳み式携帯電話機５０の充電とそのカメラによる撮影とを並行して行う場合について説明する。
カメラ保持部１６の背面が卓上充電器１０の載置面２０と同一の平面となっている状態にあるカメラ保持部１６を上記平面から直角になる位置まで、ヒンジ機構１４を回動中心にして中抜き部１８内から起立させ（図４の点線、そして実線）、卓上充電器１０に携帯電話機５０を保持させる状態を卓上充電器１０に作る。
【００２９】
そして、携帯電話機５０のヒンジ機構５３を回動中心にして折り畳んである第１のユニット５２を略直角となる位置まで回動させ、その状態にある携帯電話機５０の第２のユニット５４の自由端を、上記充電の場合と同様にして、係止ツメ部２２に当接させた状態において第２のユニット５４の後端部で係止ツメ部２３を後方へ撓ませつつ該後端部を係止ツメ部２３のバネ力で第２のユニット５４を係止ツメ部２２と係止ツメ部２３との間に弾性的に保持させると共に、第１のユニット５２の自由端でカメラ保持部１６の係止ツメ部１７をその先端方向へ撓ませつつ該自由端を係止ツメ部１７に係止させ、係止ツメ部１７のバネ力で第１のユニット５２を充電本体１２と係止ツメ部１７との間に弾性的に保持させる。
【００３０】
この保持の完了後に、卓上充電器１０の雌型コネクタに差し込まれたアダプタの雄型コネクタを商用の交流電源の雌型コネクタに差し込む。
上記保持の完了で、卓上充電器１０の給電端子対２６と受電端子対５８とが接触するから、アダプタからバッテリー５６へ形成されている通電路を経てバッテリー５６の充電が行われる。
この充電を行いつつ、カメラ付折り畳み式携帯電話機５０に装備されているシャッタ機能を作動させるボタンを押してカメラによる必要な撮影を行う。
【００３１】
このように、この実施例の構成によれば、カメラ付折り畳み式携帯電話機のバッテリーの充電とカメラによる撮影とを同一の保持機構で行うことができるから、バッテリーの充電をしながら、カメラによる撮影を行い得、カメラを長時間使用するテレビ会議でもバッテリーを気にすることなく会議に集中することができる。
その際に、卓上充電器から垂直に起立させられたカメラ保持部によって、開いたカメラ付折り畳み式携帯電話機に振れを生じさせることなく、携帯電話機を保持することができる。
したがって、携帯電話機に装備されているカメラのシャッタ機能を作動させるボタンを押す動作によって生ぜしめられるカメラ付折り畳み式携帯電話機のブレを無くすことが可能になり、綺麗な画像を得ることができる。
【００３２】
また、カメラ付折り畳み式携帯電話機を安定して保持することができるから、テレビ会議等において、ハンズフリーでその会議に臨むことができる。
また、カメラ保持部を卓上充電器内に収納し得る構造となっているから、卓上充電器の外観を損なわず、占有スペースも少なく小型化に適している。
【００３３】
◇第２実施例
図１３は、この発明の第２実施例である卓上充電器の側面図である。
この実施例の構成が、第１実施例のそれと大きく異なるところは、カメラ保持部を屈曲式腕で回動自在に保持するようにした点である。
この実施例の卓上充電器１０Ａは、図１３に示すように、カメラ保持部１６を屈曲式腕３０によって回動させてカメラ保持部１６を起立させるようにしたことに特徴がある。
カメラ保持部１６は、卓上充電器１０Ａの本体１２の背面側の部位に軸受２３Ａ（図１３には図示せず）で回動自在に軸支され、卓上充電器１０Ａの本体１２上に垂直に起立した状態と、本体１２の中抜き部１８内に折り畳まれた状態との姿勢を取り得るように構成されている。
【００３４】
屈曲式腕３０は、その第1の腕３２の一方の端部をカメラ保持部１６の自由端側の部位に回動可能に軸支する一方、第２の腕３４の一方の端部を中抜き部１８の係止ツメ部２２に近い部位に回動可能に軸支し、第１の腕３２の他方の端部と第２の腕３４の他方の端部とを軸３６で屈曲自在に連結して構成されている。
この屈曲式腕３０は、図１３ではカメラ保持部１６の片側のみしか示していないが、カメラ保持部１６のもう一方の側にも同一構成のものが設けられている。
そして、屈曲式腕３０は、軸３６で下方に折り曲げられたとき、中抜き部１８内に折り畳まれて収納され得る構造に構成されている。
この構成を除くこの実施例の構成は、第１実施例の構成と同一なので、それらの各部には同一の参照符号を付してその逐一の説明は省略する。
【００３５】
次に、図１３を参照して、この実施例の動作について説明する。
この実施例においても、カメラ付折り畳み式携帯電話機５０を折り畳んだ状態で、携帯電話機５０のバッテリーの充電だけをすることもできるし、また、携帯電話機５０を開いてカメラで撮影をしながら、バッテリーの充電をすることもできる。
【００３６】
携帯電話機５０のバッテリーの充電だけを行う場合には、第１実施例と同様、カメラ保持部１６を折り畳んで折り畳まれたカメラ保持部１６を充電器１０Ａの本体１２内に収納する。
そして、携帯電話機５０を折り畳み、その携帯電話機５０を充電器１０Ａの本体１２の係止ツメ部２２と係止ツメ部２３との間に保持させる。この保持の完了後に、携帯電話機５０の雌型コネクタに差し込まれたアダプタの雄型コネクタを商用電源の雌型コネクタに差し込む。
上記保持により、携帯電話機５０の受電端子５８は、充電器１０Ａの本体の給電端子２６に接触するから、アダプタから給電端子２６、そして受電端子５８を経て携帯電話機５０のバッテリーに形成されている通電路によってバッテリーの充電が行われる。
【００３７】
携帯電話機５０を開いてカメラで撮影をしながら、バッテリーの充電をする場合には、本体１２の中抜き部１８内に収納されているカメラ保持部１６を軸２３Ａで上方へ回動させて起立させつつ、屈曲式腕３０を伸ばし、カメラ保持部１６が垂直に起立したとき屈曲式腕３０は伸び切ってカメラ保持部１６のそれ以上の回動を止めてその位置にカメラ保持部１６Ａを固定する。
【００３８】
このようにして固定されたカメラ保持部１６及び本体１２への、略直角に開いた折り畳み式携帯電話機５０の保持の仕方は、第１実施例と同様である。
折り畳み式携帯電話機５０を卓上充電器１０Ａに保持した後、携帯電話機５０の雌型コネクタに差し込まれたアダプタの雄型コネクタを商用電源の雌型コネクタに差し込む。
上記保持の完了により、携帯電話機５０の受電端子５８は、充電器１０Ａの本体の給電端子２６に接触するから、アダプタから給電端子２６、そして受電端子５８を経て携帯電話機５０のバッテリーに形成されている通電路によってバッテリーの充電が行われる。
この充電を行いながら、カメラ付折り畳み式携帯電話機５０に装備されているシャッタ機能を作動させるボタンを押してカメラによる必要な撮影を行う。
【００３９】
このように、この実施例の構成によれば、バッテリーの充電をしながら、カメラによる撮影を行い得る。その際に、卓上充電器から屈曲式腕により自由な角度に起立させられたカメラ保持部によって、開いたカメラ付折り畳み式携帯電話機に振れを生じさせることなく、携帯電話機を保持することができる。
したがって、そのような保持姿勢においても、携帯電話機に装備されているカメラのシャッタ機能を作動させるボタンを押す動作によって生ぜしめられるカメラ付折り畳み式携帯電話機のブレを無くすことが可能になり、綺麗な画像を得ることができる。
【００４０】
また、カメラ付折り畳み式携帯電話機の安定した保持により、テレビ会議等において、ハンズフリーでその会議に臨むことができるほか、バッテリーの充電をしながら、カメラによる撮影を行い得ることにより、カメラを長時間使用するテレビ会議でもバッテリーを気にすることなく会議に集中することができる等の効果が得られる。
【００４１】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、カメラ保持部１６は、コの字形状のものについて説明したが、デジタルカメラの視野を妨げないその他の形状、例えば、係止ツメ部のないＵ字状のものであってもよい。したがって、係止ツメ部１７は、単一構造でなく、複数のツメ構造であってもよい。
また、デジタルカメラは、他の形式のカメラであってもよい。
【００４２】
本体１２に形成される係止ツメ部２２、２３は、３点支持構造のものを示しているが、カメラ保持部１６の係止ツメ部１７との関係で１点支持構造であってもよい。
また、係止ツメ部２２、２３は、多点支持構造の例として、係止ツメ部２２と係止ツメ部２３とを入れ替えた構造でもよい。
【００４３】
さらに、上記いずれの実施例も、カメラ付折り畳み式携帯電話機の例であったが、同様な形式のストレートタイプの携帯電話機においてもこの発明を実施し得る。
また、カメラ付折り畳み式携帯電話機以外の携帯情報端末装置のうちの本願で問題とするのと同様の技術的課題を持つ携帯情報端末装置においてもこの発明を実施し得る。
【００４４】
【発明の効果】
以上説明したように、この発明の構成によれば、カメラ保持手段によって第１のユニットを、カメラが撮影可能であると共に看者が背面表示部を視認できる態様で、かつ、直立又は斜めの姿態で、保持するようにしたので、カメラ付携帯電話機は、卓上充電器に安定して保持されているから、カメラのブレの発生を回避できて綺麗な画像を得ることができる。
また、バッテリーの充電を行いつつカメラを動作させることができる。ハンズフリーでテレビ会議に臨むことができる。
【００４５】
また、カメラの長時間の使用時において、バッテリーの消耗を気にしなくて済み、意図している作業に集中することができる。
カメラ保持手段を卓上充電器本体に折り畳み得る構造となっているから、卓上充電器の外観を損なわず、占有スペースも少なく小型化に適している。
また、屈曲式腕をカメラ保持手段の支持に用いる場合には、カメラ保持手段を任意の姿勢にしてカメラ付携帯電話機のカメラに任意の角度での撮像を可能にする。
【図面の簡単な説明】
【図１】この発明の第1実施例である卓上充電器の平面図である。
【図２】同卓上充電器の側面図である。
【図３】同卓上充電器の図１の線Ａ−ＡのＡの方向から見た断面図である。
【図４】同卓上充電器のカメラ保持部の起立前後の状態を図解する図である。
【図５】カメラ付折り畳み式携帯電話機を開いた状態の平面図である。
【図６】同カメラ付折り畳み式携帯電話機を開いた状態の側面図である。
【図７】同カメラ付折り畳み式携帯電話機を開いた状態の背面図である。
【図８】折り畳んだ状態のカメラ付折り畳み式携帯電話機を卓上充電器に保持させて充電するときの平面図である。
【図９】折り畳んだ状態のカメラ付折り畳み式携帯電話機を卓上充電器に保持させて充電するときの側面図である。
【図１０】直角に曲げた状態のカメラ付折り畳み式携帯電話機を卓上充電器に保持させて充電しつつ撮像するときの平面図である。
【図１１】直角に曲げた状態のカメラ付折り畳み式携帯電話機を卓上充電器に保持させて充電しつつ撮像するときの側面図である。
【図１２】直角に曲げた状態のカメラ付折り畳み式携帯電話機を卓上充電器に保持させて充電しつつ撮像するときの側面図である。
【図１３】この発明の第2実施例の卓上充電器の側面図である。
【図１４】従来形式の卓上充電器においてカメラ付折り畳み式携帯電話機のバッテリーを充電するときの側面図である。
【図１５】従来形式の卓上充電器においてカメラ付折り畳み式携帯電話機を保持して撮像するときの側面図である。
【符号の説明】
１０、１０Ａ      卓上充電器（携帯電話用卓上充電装置）
１２      卓上充電器本体
１４      ヒンジ機構
１６      カメラ保持部（カメラ支持手段）
１７      係止ツメ部
１８      中抜き部（凹部）
２０      載置面
２２      係止ツメ部
２３      係止ツメ部
２６      給電端子
５０      カメラ付折り畳み式携帯電話機（カメラ付携帯電話機）
５２      第１のユニット
５３      ヒンジ機構
５４      第２のユニット
５６      バッテリー
５８      受電端子
６０      デジタルカメラ
６２      正面スクリーン
６４      背面スクリーン（背面表示部）
【図１】
0004288412.tif 000002
【図２】
0004288412.tif 000003
【図３】
0004288412.tif 000004
【図４】
0004288412.tif 000005
【図５】
0004288412.tif 000006
【図６】
0004288412.tif 000007
【図７】
0004288412.tif 000008
【図８】
0004288412.tif 000009
【図９】
0004288412.tif 000010
【図１０】
0004288412.tif 000011
【図１１】
0004288412.tif 000012
【図１２】
0004288412.tif 000013
【図１３】
0004288412.tif 000014
【図１４】
0004288412.tif 000015
【図１５】
0004288412.tif 000016